(57)【要約】【課題】  フレキシブルプリント基板がトレイの下面に接触しないようにすること。【解決手段】  光ピックアップ８のスライドベース９のトレイ対向面９ｃに対物レンズ付きアクチュエータとメイン基板１３とが配置され、該メイン基板１３から延びるフレキシブルプリント基板ＦＰＣの先端にフォトダイオードＰＤ付き読取部１７が設けられ、前記フレキシブルプリント基板ＦＰＣを略Ｌ字状に折り曲げることにより前記読取部１７がスライドベース９の受座９ｄに固定されており、スライドベース９に設けたレーザダイオード付き発光部からレーザ光を対物レンズを通してディスクに投射し、その反射光をフォトダイオードＰＤ付き読取部１７により受光してディスクに記録されている情報を読み取るようにしたディスク装置において、前記フレキシブルプリント基板ＦＰＣの中央折曲部ＦＰＣａをスライドベース９側に向けて押し下げる押さえ板３１が設けられている。【選択図】        図１
2010211891.tif 000002
【特許請求の範囲】
【請求項１】
ディスク載置用トレイがローダーシャーシに前後進可能に配置され、該ローダーシャー
シに上下動可能に配置したトラバースシャーシにターンテーブルと光ピックアップとが配
置され、該光ピックアップのスライドベースの一側縁に形成したガイド孔をトラバースシ
ャーシ上の主軸に移動可能に嵌合させると共に、該スライドベースの他側縁のガイド枠に
形成したガイド溝をトラバースシャーシ上の副軸に嵌合させることにより、そのスライド
ベースがディスクの半径方向に沿って往復移動可能に形成され、前記スライドベースのト
レイ対向面に対物レンズ付きアクチュエータとメイン基板とが配置され、該メイン基板か
ら延びるフレキシブルプリント基板の先端にフォトダイオード付き読取部が設けられ、前
記フレキシブルプリント基板を略Ｌ字状に折り曲げることにより前記読取部がスライドベ
ースの受座に固定されており、ディスクを載置したトレイを後進させてローダーシャーシ
内に収納し、トラバースシャーシを上動させてターンテーブルにディスクをクランプし、
該ターンテーブルによりディスクを高速回転させ、スライドベースに設けたレーザダイオ
ード付き発光部からレーザ光を対物レンズを通してディスクに投射し、その反射光をフォ
トダイオード付き読取部により受光してディスクに記録されている情報を読み取るように
したディスク装置において、前記フレキシブルプリント基板の中央折曲部をスライドベー
ス側に向けて押し下げる押さえ板が設けられていることを特徴とするディスク装置。
【請求項２】
前記押さえ板が、根元板部の一側縁から折り曲げられた折り曲げ板部を介して一体形成
した押さえ板本体を有し、前記根元板部にビス挿通孔と位置決め孔とが所定間隔をおいて
貫設され、そのビス挿通孔と位置決め孔とに対向してスライドベースのトレイ対向面にビ
ス孔と位置決め突起部とが形成されており、前記位置決め孔を位置決め突起部に嵌合させ
、ビスをビス挿通孔を通ってビス孔にねじ込むことにより、根元板部をスライドベースの
トレイ対向面に固定して押さえ板本体をフレキシブルプリント基板に押し付けるようにし
たことを特徴とする請求項１に記載のディスク装置。
【請求項３】
前記根元板部の他側縁に一体延設されて中央部が略Ｕ字状に折り曲げられ先端部が前記
副軸に弾性的に押し付けられる副軸押さえばねを有することを特徴とする請求項２に記載
のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、安価な構造でフレキシブルプリント基板がトレイの下面に接触
しないようにしたものである。
【背景技術】
【０００２】
ディスク装置（Ｂｌｕ−ｒａｙ  Ｄｉｓｃ式のレコーダまたはプレーヤ）として図４の
平面図及び図５の縦断面図に示すものがある。これは、ディスクＤ載置用トレイ１がロー
ダーシャーシ２に前後進ａ，ｂ可能に配置され、該ローダーシャーシ２内にシャーシ本体
３ａとレバーシフト３ｂとからなるトラバースシャーシ３が配置され、前記シャーシ本体
３ａの後部がゴムからなる後側弾性体４を介してローダーシャーシ２に上下動ｃ，ｄ可能
に連結されると共に、該シャーシ本体３ａの前部がゴムからなる前側弾性体５を介してレ
バーシフト３ｂに連結され、前記シャーシ本体３ａ上にターンテーブル６付きスピンドル
モータ７と光ピックアップ８とが配置され、該光ピックアップ８がスライドベース９を有
し、該スライドベース９の一側縁に形成したガイド孔９ａをシャーシ本体３ａ上の主軸１
０ａに移動可能に嵌合させると共に、該スライドベース９の他側縁の略コ字状ガイド枠９
ｂに形成した略Ｕ字状ガイド溝１１をシャーシ本体３ａ上の副軸１０ｂに嵌合させること
により、そのスライドベース９がディスクＤの半径方向に沿って往復移動可能に形成され
、前記スライドベース９のトレイ対向面９ｃに対物レンズＯＬ付きアクチュエータ１２と
プリント基板からなるメイン基板１３とが配置されたものである。
【０００３】
前記スライドベース９には、ＤＶＤ・ＣＤ用のレーザダイオードＬＤ付き発光部１４及
びフォトダイオードＰＤ付き読取部１５と、ＢＤ（ブルーレイ）用のレーザダイオードＬ
Ｄ付き発光部１６及びフォトダイオードＰＤ付き読取部１７とが設けられている。
【０００４】
図４及び図５に示すように、前記ローダーシャーシ２の前部にカムスライダ１９が前後
進ａ，ｂ方向とは直交する左右方向ｅ，ｆに沿ってスライド可能に配置され、該カムスラ
イダ１９に形成したカム溝２０ａと、レバーシフト３ｂに突設されてカム溝２０ａに嵌入
するカムピン２０ｂとからなるカム機構２０によりカムスライダ１９とレバーシフト３ｂ
とが連動連結されている。
【０００５】
図４に示すように、前記ローダーシャーシ２の前部にピニオン２２が正逆回転ｇ，ｈ可
能に配置され、該ピニオン２２に噛合可能なカムラック２３が前記カムスライダ１９に設
けられ、該ピニオン２２に噛合可能なトレイラック（図示せず）が前記トレイ１の裏面に
前後進ａ，ｂ方向に沿って形成され、前記カムスライダ１９にガイドピン２５が突設され
ると共に、該ガイドピン２５に係合可能なガイド枠（図示せず）がトレイ１の裏面に突設
されている。図５中、２６はターンテーブル６とでディスクＤをクランプするためのクラ
ンパである。
【０００６】
操作手順を説明すると、図４及び図５に実線で示す状態は、トレイオープン状態を示し
ており、ディスクＤをトレイ１上に載置し、フィードモータによりピニオン２２を矢印ｈ
方向に回転させることにより、該ピニオン２２に噛合するトレイラック（図示せず）を介
してトレイ１を後進ｂさせてローダーシャーシ２内に収納する（図４及び図５の仮想線参
照）。
【０００７】
続いて、トレイ１の裏面のガイド枠（図示せず）の傾斜面をガイドピン２５に押しつけ
てカムスライダ１９を矢印ｅ方向にスライドさせることにより、カムラック２３をピニオ
ン２２に噛合させ、該ピニオン２２の矢印ｈ方向への回転によりカムスライダ１９を矢印
ｅ方向にスライドさせ、カム機構２０を介してトラバースシャーシ３を上動ｃさせ、ター
ンテーブル６にディスクＤをクランプし、プレーモードにする。
【０００８】
そのプレイモードでは、ターンテーブル６によりディスクＤを高速回転させ、光ピック
アップ８のレーザダイオードＬＤ付き発光部１４，１６からレーザ光を対物レンズＯＬを
通してディスクＤに投射し、その反射光をフォトダイオードＰＤ付き読取部１５，１７に
より受光してディスクＤに記録されている情報を読み取る。
【０００９】
従来、図６の要部の斜視図、図７（ａ）の側面図、図７（ｂ）の平面図及び図７（ｃ）
のＢ−Ｂ矢視図に示すように、前記フォトダイオードＰＤ付き読取部１７は、メイン基板
１３から延びるフレキシブルプリント基板ＦＰＣの先端に設けられ、その読取部１７を固
定するための受座９ｄがスライドベース９に形成されており、フレキシブルプリント基板
ＦＰＣを略Ｌ字状に折り曲げて読取部１７を受座９ｄに対向させ、該読取部１７の位置を
三次元調整した状態でその読取部１７を受座９ｄに紫外線硬化性接着剤ＵＶにより固定し
ている。なお、関連する技術として特許文献１に記載したものがある。
【先行技術文献】
【特許文献】
【００１０】
【特許文献１】特開２００６−２０９８３５号公報
【発明の概要】
【発明が解決しようとする課題】
【００１１】
上記従来の構成では、フォトダイオードＰＤ付き読取部１７の位置調整を容易に行う必
要性からフレキシブルプリント基板ＦＰＣの長さに余裕を持たせており、図７（ａ）及び
（ｃ）に示すように、フレキシブルプリント基板ＦＰＣの中央折曲部ＦＰＣａがスライド
ベース９から離れて膨らんでいる。従って、トラバースシャーシ３のシャーシ本体３ａを
上動ｃさせてプレイモードにしたときに、図７（ａ）及び（ｃ）に示すように、フレキシ
ブルプリント基板ＦＰＣの中央折曲部ＦＰＣａがトレイ１の下面に接触することがあり、
これでは、接触のたびに不快な接触音が生じたり、フレキシブルプリント基板ＦＰＣの中
央折曲部ＦＰＣａが磨耗されて故障の原因になるおそれがある。
【００１２】
そこで、図７（ｃ）に仮想線で示すように、両面接着テープ２８でフレキシブルプリン
ト基板ＦＰＣをスライドベース９のトレイ対向面９ｃに接着することにより、そのフレキ
シブルプリント基板ＦＰＣの中央折曲部ＦＰＣａを押し下げてトレイ１の下面に接触しな
いようにすることが考えられている。
【００１３】
上記構成によれば、両面接着テープ２８の接着力が経年変化や高温多湿の条件下で低下
しやすく、その接着力の低下によりフレキシブルプリント基板ＦＰＣがスライドベース９
のトレイ対向面９ｃから剥がれることがあり、これでは、そのフレキシブルプリント基板
ＦＰＣが元の状態に戻って、その中央折曲部ＦＰＣａがトレイ１の下面に接触することに
なる。
【００１４】
また、スライドベース９をディスクＤの半径方向に沿って円滑にスライドさせるため、
ガイド枠９ｂのガイド溝１１と副軸１０ｂとの間にわずかな隙間が生じるようにしている
が、これでは、ディスク装置を例えば縦置き状態にしたときに、スライドベース９が主軸
１０ａ回りで動揺して、騒音を生じさせたり、光ピックアップ２の性能を低下させること
がある。そこで、副軸１０ｂに副軸押さえばね２９を弾性的に押し付けることにより、ス
ライドベース９の動揺を押えるようにしており、これでは、副軸押さえばね２９を別個に
設けていることから、部品点数が増加して製作費が高くつく。
【００１５】
本発明は、上記従来の欠点に鑑み、安価な構造でフレキシブルプリント基板がトレイの
下面に接触しないようにしたディスク装置を提供することを目的としている。
【課題を解決するための手段】
【００１６】
上記目的を達成するため、請求項１に記載の発明は、ディスク載置用トレイがローダー
シャーシに前後進可能に配置され、該ローダーシャーシに上下動可能に配置したトラバー
スシャーシにターンテーブルと光ピックアップとが配置され、該光ピックアップのスライ
ドベースの一側縁に形成したガイド孔をトラバースシャーシ上の主軸に移動可能に嵌合さ
せると共に、該スライドベースの他側縁のガイド枠に形成したガイド溝をトラバースシャ
ーシ上の副軸に嵌合させることにより、そのスライドベースがディスクの半径方向に沿っ
て往復移動可能に形成され、前記スライドベースのトレイ対向面に対物レンズ付きアクチ
ュエータとメイン基板とが配置され、該メイン基板から延びるフレキシブルプリント基板
の先端にフォトダイオード付き読取部が設けられ、前記フレキシブルプリント基板を略Ｌ
字状に折り曲げることにより前記読取部がスライドベースの受座に固定されており、ディ
スクを載置したトレイを後進させてローダーシャーシ内に収納し、トラバースシャーシを
上動させてターンテーブルにディスクをクランプし、該ターンテーブルによりディスクを
高速回転させ、スライドベースに設けたレーザダイオード付き発光部からレーザ光を対物
レンズを通してディスクに投射し、その反射光をフォトダイオード付き読取部により受光
してディスクに記録されている情報を読み取るようにしたディスク装置において、前記フ
レキシブルプリント基板の中央折曲部をスライドベース側に向けて押し下げる押さえ板が
設けられていることを特徴としている。
【００１７】
請求項２に記載の発明は、請求項１に記載の発明において、前記押さえ板が、根元板部
の一側縁から折り曲げられた折り曲げ板部を介して一体形成した押さえ板本体を有し、前
記根元板部にビス挿通孔と位置決め孔とが所定間隔をおいて貫設され、そのビス挿通孔と
位置決め孔とに対向してスライドベースのトレイ対向面にビス孔と位置決め突起部とが形
成されており、前記位置決め孔を位置決め突起部に嵌合させ、ビスをビス挿通孔を通って
ビス孔にねじ込むことにより、根元板部をスライドベースのトレイ対向面に固定して押さ
え板本体をフレキシブルプリント基板に押し付けるようにしたことを特徴としている。
【００１８】
請求項３に記載の発明は、請求項２に記載の発明において、前記根元板部の他側縁に一
体延設されて中央部が略Ｕ字状に折り曲げられ先端部が前記副軸に弾性的に押し付けられ
る副軸押さえばねを有することを特徴としている。
【発明の効果】
【００１９】
請求項１に記載の発明によれば、先端にフォトダイオード付き読取部を設けたフレキシ
ブルプリント基板の中央折曲部を押さえ板でスライドベース側に向けて押し下げているの
で、そのフレキシブルプリント基板の中央折曲部がトレイの下面に接触することがなく、
従来のようにフレキシブルプリント基板の中央折曲部がトレイの下面に接触して不快な接
触音を発生させたり、その接触によりフレキシブルプリント基板の中央折曲部が磨耗され
たりすることがなくなり、フォトダイオード付き読取部による読取性能を良好に維持する
ことができる。
【００２０】
請求項２に記載の発明によれば、根元板部の位置決め孔を位置決め突起部に嵌合させる
と共に、該根元板部のビス挿通孔を通ってビス孔にビスをねじ込むだけで、その根元板部
をスライドベースのトレイ対向面に固定して、押さえ板本体でフレキシブルプリント基板
の中央折曲部を所定通りに押し下げることができる。
【００２１】
請求項３に記載の発明によれば、スライドベースの動揺を押さえる副軸押さえばねが根
元板部の他側縁に一体延設されており、その副軸押さえばねを別個に設ける場合に比べて
、部品点数が減少しているから、構造簡単で製作費が安くつく。
【図面の簡単な説明】
【００２２】
【図１】本発明の実施の一形態であるディスク装置の要部の斜視図である。
【図２】同分解斜視図である。
【図３】（ａ）は同側面図、（ｂ）は同平面図、（ｃ）はＡ−Ａ矢視図である。
【図４】ディスク装置の平面図である。
【図５】同縦断面図である。
【図６】従来例を示す要部の斜視図である。
【図７】（ａ）は同側面図、（ｂ）は同平面図、（ｃ）はＢ−Ｂ矢視図である。
【発明を実施するための形態】
【００２３】
図１〜図３は本発明の実施の一形態であるディスク装置（Ｂｌｕ−ｒａｙ  Ｄｉｓｃ式
のレコーダまたはプレーヤ）の要部を示すものであって、フレキシブルプリント基板ＦＰ
Ｃの中央折曲部ＦＰＣａをスライドベース９側に向けて押し下げる弾性変位可能な金属製
押さえ板３１が設けられている。上記以外の構成は図４〜図７に示す構成とほぼ同じであ
るから、同一部分に同一符号を付してその説明を省略する。
【００２４】
前記押さえ板３１は、小幅横長矩形状の根元板部３１ａと、該根元板部３１ａの一側縁
から略Ｌ字状に折り曲げられた折り曲げ板部３１ｂと、該折り曲げ板部３１ｂに一体形成
されて根元板部３１ａから平行して逆方向に延びる広幅矩形状の押さえ板本体３１ｃと、
根元板部３１ａの他側縁に一体延設されて中央部が略Ｕ字状に折り曲げられた副軸押さえ
ばね３１ｄとを有し、前記根元板部３１ａの中央にビス挿通孔３２が貫設されると共に、
該根元板部３１ａのビス挿通孔３２から所定間隔をおいて位置に一対の位置決め孔３３が
貫設され、スライドベース９のトレイ対向面９ｃに基台３４が一体突設され、該基台３４
に、ビス挿通孔３２及び各位置決め孔３３に対向してビス孔３５と一対の位置決め突起部
３６とが形成されている。
【００２５】
前記押さえ板本体３１ｃの中央部を押出成形して下向きに若干突出する補強部３１ｅが
形成されると共に、副軸押さえばね３１ｄの先端中央部を横断面略Ｕ字状に押出成形して
上向きに若干突出する補強部３１ｆが形成されている。
【００２６】
押さえ板３１の取付手順を説明すると、各位置決め孔３３を各位置決め突起部３６に嵌
合させ、ビス３７をビス挿通孔３２を通ってビス孔３５にねじ込むことにより、根元板部
３１ａを基台３４に固定し、押さえ板本体３１ｃをフレキシブルプリント基板ＦＰＣに押
し付ける。また、ガイド枠９ｂのガイド溝１１に嵌入させた副軸１０ｂに副軸押さえばね
３１ｄの先端部を弾性的に押し付ける。
【００２７】
上記構成によれば、先端にフォトダイオードＰＤ付き読取部１７を設けたフレキシブル
プリント基板ＦＰＣの中央折曲部ＦＰＣａを押さえ板本体３１ｃでスライドベース９側に
向けて押し下げているので、図３（ｃ）に示すように、そのフレキシブルプリント基板Ｆ
ＰＣの中央折曲部ＦＰＣａがトレイ１の下面に接触することがなく、従来のようにフレキ
シブルプリント基板ＦＰＣの中央折曲部ＦＰＣａがトレイ１の下面に接触して不快な接触
音を発生させたり、その接触によりフレキシブルプリント基板ＦＰＣの中央折曲部ＦＰＣ
ａが磨耗されたりすることがなくなり、フォトダイオードＰＤ付き読取部１７による読取
性能を良好に維持することができる。
【００２８】
また、根元板部３１ａの位置決め孔３３を位置決め突起部３６に嵌合させると共に、該
根元板部３１ａのビス挿通孔３２を通ってビス孔３５にビス３７をねじ込むだけで、その
根元板部３１ａを基台３４に固定して、押さえ板本体３１ｃでフレキシブルプリント基板
ＦＰＣの中央折曲部ＦＰＣａを所定通りに押し下げることができる。
【００２９】
更に、スライドベース９の動揺を押さえる副軸押さえばね３１ｄが根元板部３１ａの他
側縁に一体延設されており、その副軸押さえばね３１ｄを別個に設ける場合に比べて、部
品点数が減少しているから、構造簡単で製作費が安くつく。
【符号の説明】
【００３０】
１        トレイ
２        ローダーシャーシ
３        トラバースシャーシ
６        ターンテーブル
８        光ピックアップ
９        スライドベース
９ａ      スライドベースのガイド孔
９ｂ      スライドベースのガイド枠
９ｃ      スライドベースのトレイ対向面
９ｄ      スライドベースの受座
１０ａ    主軸
１０ｂ    副軸
１１      ガイド枠のガイド溝
１２      アクチュエータ
１３      メイン基板
１６      ＢＤ用発光部
１７      ＢＤ用読取部
３１      押さえ板
３１ａ    押さえ板の根元板部
３１ｂ    押さえ板の折り曲げ板部
３１ｃ    押さえ板本体
３１ｄ    副軸押さえばね
３２      ビス挿通孔
３３      位置決め孔
３５      ビス孔
３６      位置決め突起部
３７      ビス
Ｄ        ディスク
ＯＬ      対物レンズ
ＦＰＣ    フレキシブルプリント基板
ＦＰＣａ  フレキシブルプリント基板の中央折曲部
【図１】
2010211891.tif 000003
【図２】
2010211891.tif 000004
【図３】
2010211891.tif 000005
【図４】
2010211891.tif 000006
【図５】
2010211891.tif 000007
【図６】
2010211891.tif 000008
【図７】
2010211891.tif 000009